(57)【要約】      （修正有）【課題】オリジナルファイルの内容変更をコピーファイルへ反映させることができるかどうかを、ユーザが設定できるようにして、使い勝手を良くしたファイル管理システムを提供する。【解決手段】オリジナルファイルをフォーマット変換して登録し、登録時にオリジナルファイルをコピーして保持し、登録されたファイルとコピーファイルとをリンクして管理するファイル管理システムにおいて、登録時に、オリジナルファイルとコピーファイルとのリンク関係を維持するかどうかを選択可能な選択手段と、オリジナルデータファイルが更新されているかどうかを判断する判断手段と、判断結果に基づいて、オリジナルファィル及び／またはコピーファイルに、設定された処理を実行する手段を備えている。【選択図】図６
2007323237.tif 000002
【特許請求の範囲】
【請求項１】
所定の格納場所に格納されたオリジナルデータのファイルをフォーマット変換して登録する登録手段と、
前記登録手段による登録時に、前記オリジナルデータファイルのコピーを取り込む取り込み手段と、
前記登録手段による登録時に、前記オリジナルデータファイルとコピーデータファイルとのリンク関係を維持するかどうかを選択可能な選択手段と、
前記オリジナルデータファイルとコピーデータファイルとのリンク関係を維持することが選択されている場合には、前記オリジナルデータファイルの格納場所の情報及びファイル属性情報を、コピーデータファイルとリンクして管理する管理手段と、
前記管理手段で管理されている情報に基づいて、前記オリジナルデータファイルが更新されているかどうかを判断する判断手段と、
前記判断結果に基づいて、前記オリジナルデータファィル及び／またはコピーデータファイルに対して、設定された処理を実行する処理実行手段と、
を備えたことを特徴とするファイル管理システム。
【請求項２】
前記オリジナルデータファイルとコピーデータファイルとのリンク関係を維持するかどうかの選択は、オリジナルデータファイルの登録毎に行われる請求項１に記載のファイル管理システム。
【請求項３】
前記オリジナルデータファイルとコピーデータファィルとのリンク関係を維持するかどうかの選択として、システムのデフォルトの設定が選択可能である請求項１に記載のファイル管理システム。
【請求項４】
表示手段を備え、前記オリジナルデータファイルとコピーデータファイルとのリンク関係を維持することが選択されているかどうかに応じて、前記表示手段はファイルを区別して表示させる請求項１に記載のファイル管理システム。
【請求項５】
前記ファイル属性情報は、ファイル名、ファイルサイズ、ファイル更新日付である請求項１に記載のファイル管理システム。
【請求項６】
前記判断手段によるオリジナルデータファイルが更新されているかどうかの判断は、ファイル管理システムの起動時に行われる請求項１に記載のファイル管理システム。
【請求項７】
前記判断手段によるオリジナルデータファイルが更新されているかどうかの判断は、一定時間毎に行われる請求項１に記載のファイル管理システム。
【請求項８】
前記判断手段によるオリジナルデータファイルが更新されているかどうかの判断は、ユーザが管理データにアクセスしたときに行われる請求項１に記載のファイル管理システム。
【請求項９】
前記判断手段によるオリジナルデータファイルが更新されているかどうかの判断は、ファイル管理システムの終了時に行われる請求項１に記載のファイル管理システム。
【請求項１０】
前記処理実行手段により実行される設定処理は、オリジナルデータファイルとコピーデータファイルの内容を同期させる処理か、オリジナルデータファイルとコピーデータファイルの内容を同期させることなくそのまま保持する処理か、現在のオリジナルデータファイルを新たに登録し、オリジナルデータファイルとコピーデータファイルの元のリンク関係を削除する処理か、オリジナルデータファイルとコピーデータファイルのリンク関係を削除する処理、のいずれかである請求項１に記載のファイル管理システム。
【請求項１１】
前記実行される設定処理はその都度ユーザによって選択される請求項１０に記載のファイル管理システム。
【請求項１２】
所定の格納場所に格納されたオリジナルデータのファイルをフォーマット変換して登録するステップと、
前記登録時に、前記オリジナルデータファイルのコピーを取り込むステップと、
前記登録時に、前記オリジナルデータファイルとコピーデータファイルとのリンク関係を維持するかどうかを選択可能なステップと、
前記オリジナルデータファイルとコピーデータファイルとのリンク関係を維持することが選択されている場合には、前記オリジナルデータファイルの格納場所の情報及びファイル属性情報を、コピーデータファイルとリンクして管理するステップと、
前記管理されている情報に基づいて、前記オリジナルデータファイルが更新されているかどうかを判断するステップと、
前記判断結果に基づいて、前記オリジナルデータファィル及び／またはコピーデータファイルに対して、設定された処理を実行するステップと、
を備えたことを特徴とするファイル管理方法。
【請求項１３】
所定の格納場所に格納されたオリジナルデータのファイルをフォーマット変換して登録するステップと、
前記登録時に、前記オリジナルデータファイルのコピーを取り込むステップと、
前記登録時に、前記オリジナルデータファイルとコピーデータファイルとのリンク関係を維持するかどうかを選択可能なステップと、
前記オリジナルデータファイルとコピーデータファイルとのリンク関係を維持することが選択されている場合には、前記オリジナルデータファイルの格納場所の情報及びファイル属性情報を、コピーデータファイルとリンクして管理するステップと、
前記管理されている情報に基づいて、前記オリジナルデータファイルが更新されているかどうかを判断するステップと、
前記判断結果に基づいて、前記オリジナルデータファィル及び／またはコピーデータファイルに対して、設定された処理を実行するステップと、
をコンピュータに実行させるためのファイル管理プログラム。
【発明の詳細な説明】
【技術分野】
【０００１】
この発明は、文書ファイル、画像ファイル等のファイルを管理するファイル管理システム、ファイル管理方法及びファイル管理プログラムに関する。
【背景技術】
【０００２】
オリジナルデータファイルをＰＤＦ等の所定のフォーマットに変換して登録するとともに、登録時に前記オリジナルデータファイルをコピーしてコピーデータファイルとして保持し、登録されたファイルとコピーデータファイルとをリンクして管理するファイル管理システムが、従来より知られている。
【０００３】
また、外部アプリケーション等によって作成されたファイルを電子ファイリングシステムによって管理されているフォルダにコピーまたは移動するための操作が行われると、登録モジュールが、コピーまたは移動元のファイルをページとして登録するための書類をフォルダ内に自動的に作成し、その作成した書類内に、コピーまたは移動されたファイルをページとして登録する電子ファイリングシステムも知られている（例えば特許文献１）。
【０００４】
さらに、分散ファイルシステムで、ファイルの同期を取るときに、サーバ側とローカル側それぞれで拡張ファイル管理テーブルを持ち、そのテーブル情報を比較することで、同期処理を決定し実行する技術も知られている（例えば特許文献２）。
【０００５】
さらには、会計事務所と顧問先のコンピュータ装置に記憶されている同一種類のファイル毎に最新更新日付を比較し、最新更新日付が異なっているファイルについて更新データ量に基いて決定された優先度に基づいて更新ファイルを同期先に同期して同期先のファイルを更新する技術も知られている（例えば特許文献３）。
【特許文献１】特開２００１−７５９５４号公報
【特許文献２】特開平９−２６５４２４号公報
【特許文献３】特開２００１−１９５３７８号公報
【発明の開示】
【発明が解決しようとする課題】
【０００６】
しかし、オリジナルデータファイルをＰＤＦ等の所定のフォーマットに変換して登録するとともに、登録時に前記オリジナルデータファイルをコピーしてコピーデータファイルとして保持し、登録されたファイルとコピーデータファイルとをリンクして管理する従来のファイル管理システムでは、登録時に使用したオリジナルデータファイルを編集した場合に、その編集が、コピーデータファイルへ自動的に反映されたと誤解される問題が往々にして生じていた。
【０００７】
また、特許文献１及び特許文献２に記載された技術は、このような問題に対して、解決策を付与しうるものではなかった。
【０００８】
一方、このような問題に対して、特許文献３に記載されているように、オリジナルデータファィルとコピーデータファイルとの同期を取るようにすると、今度は、オリジナルデータファイルの編集をコピーデータファィルに反映させたくない場合であっても、コピーデータファイルの内容が編集後のオリジナルデータファイルと同じになるように自動的に変更されてしまい、却って使い勝手が良くないという欠点があった。
【０００９】
この発明は、このような事情に鑑みてなされたものであって、オリジナルデータファイルの内容変更をコピーデータファイルへ反映させることができるかどうかを、ユーザが設定できるようにして、使い勝手を良くしたファイル管理システム及びファイル管理方法並びにファイル管理プログラムの提供を目的とする。
【課題を解決するための手段】
【００１０】
上記課題は以下の手段によって解決される。
（１）所定の格納場所に格納されたオリジナルデータのファイルをフォーマット変換して登録する登録手段と、前記登録手段による登録時に、前記オリジナルデータファイルのコピーを取り込む取り込み手段と、前記登録手段による登録時に、前記オリジナルデータファイルとコピーデータファイルとのリンク関係を維持するかどうかを選択可能な選択手段と、前記オリジナルデータファイルとコピーデータファイルとのリンク関係を維持することが選択されている場合には、前記オリジナルデータファイルの格納場所の情報及びファイル属性情報を、コピーデータファイルとリンクして管理する管理手段と、前記管理手段で管理されている情報に基づいて、前記オリジナルデータファイルが更新されているかどうかを判断する判断手段と、前記判断結果に基づいて、前記オリジナルデータファィル及び／またはコピーデータファイルに対して、設定された処理を実行する処理実行手段と、を備えたことを特徴とするファイル管理システム。
（２）前記オリジナルデータファイルとコピーデータファイルとのリンク関係を維持するかどうかの選択は、オリジナルデータファイルの登録毎に行われる前項１に記載のファイル管理システム。
（３）前記オリジナルデータファイルとコピーデータファィルとのリンク関係を維持するかどうかの選択として、システムのデフォルトの設定が選択可能である前項１に記載のファイル管理システム。
（４）表示手段を備え、前記オリジナルデータファイルとコピーデータファイルとのリンク関係を維持することが選択されているかどうかに応じて、前記表示手段はファイルを区別して表示させる前項１に記載のファイル管理システム。
（５）前記ファイル属性情報は、ファイル名、ファイルサイズ、ファイル更新日付である前項１に記載のファイル管理システム。
（６）前記判断手段によるオリジナルデータファイルが更新されているかどうかの判断は、ファイル管理システムの起動時に行われる前項１に記載のファイル管理システム。
（７）前記判断手段によるオリジナルデータファイルが更新されているかどうかの判断は、一定時間毎に行われる前項１に記載のファイル管理システム。
（８）前記判断手段によるオリジナルデータファイルが更新されているかどうかの判断は、ユーザが管理データにアクセスしたときに行われる前項１に記載のファイル管理システム。
（９）前記判断手段によるオリジナルデータファイルが更新されているかどうかの判断は、ファイル管理システムの終了時に行われる前項１に記載のファイル管理システム。
（１０）前記処理実行手段により実行される設定処理は、オリジナルデータファイルとコピーデータファイルの内容を同期させる処理か、オリジナルデータファイルとコピーデータファイルの内容を同期させることなくそのまま保持する処理か、現在のオリジナルデータファイルを新たに登録し、オリジナルデータファイルとコピーデータファイルの元のリンク関係を削除する処理か、オリジナルデータファイルとコピーデータファイルのリンク関係を削除する処理、のいずれかである前項１に記載のファイル管理システム。
（１１）前記実行される設定処理はその都度ユーザによって選択される前項１０に記載のファイル管理システム。
（１２）所定の格納場所に格納されたオリジナルデータのファイルをフォーマット変換して登録するステップと、前記登録時に、前記オリジナルデータファイルのコピーを取り込むステップと、前記登録時に、前記オリジナルデータファイルとコピーデータファイルとのリンク関係を維持するかどうかを選択可能なステップと、前記オリジナルデータファイルとコピーデータファイルとのリンク関係を維持することが選択されている場合には、前記オリジナルデータファイルの格納場所の情報及びファイル属性情報を、コピーデータファイルとリンクして管理するステップと、前記管理されている情報に基づいて、前記オリジナルデータファイルが更新されているかどうかを判断するステップと、前記判断結果に基づいて、前記オリジナルデータファィル及び／またはコピーデータファイルに対して、設定された処理を実行するステップと、を備えたことを特徴とするファイル管理方法。
（１３）所定の格納場所に格納されたオリジナルデータのファイルをフォーマット変換して登録するステップと、前記登録時に、前記オリジナルデータファイルのコピーを取り込むステップと、前記登録時に、前記オリジナルデータファイルとコピーデータファイルとのリンク関係を維持するかどうかを選択可能なステップと、前記オリジナルデータファイルとコピーデータファイルとのリンク関係を維持することが選択されている場合には、前記オリジナルデータファイルの格納場所の情報及びファイル属性情報を、コピーデータファイルとリンクして管理するステップと、前記管理されている情報に基づいて、前記オリジナルデータファイルが更新されているかどうかを判断するステップと、前記判断結果に基づいて、前記オリジナルデータファィル及び／またはコピーデータファイルに対して、設定された処理を実行するステップと、をコンピュータに実行させるためのファイル管理プログラム。
【発明の効果】
【００１１】
前項（１）に記載された発明によれば、オリジナルデータファイルの登録時に、前記オリジナルデータファイルとコピーデータファイルとのリンク関係を維持するかどうかを選択可能であり、オリジナルデータファイルとコピーデータファイルとのリンク関係を維持することが選択されている場合には、オリジナルデータファイルが更新されているかどうかを判断し、判断結果に基づいて、前記オリジナルデータファィル及び／またはコピーデータファイルに対して、設定された処理が実行される。つまり、ユーザがオリジナルデータファイルとコピーデータファイルとのリンク関係を維持することを選択した場合には、例えばオリジナルデータファイルの内容更新をコピーデータファイルに反映させる等の処理が可能となるし、逆にオリジナルデータファイルの内容更新をコピーデータファイルに反映させたくない場合には、オリジナルデータファイルとコピーデータファイルとのリンク関係を維持することの選択をしないようにすれば良く、従って処理内容の選択自由度が広がり、使い勝手の良いものとなる。
【００１２】
前項（２）に記載された発明によれば、オリジナルデータファイルとコピーデータファイルとのリンク関係を維持するかどうかの選択が、オリジナルデータファイルの登録毎に可能となる。
【００１３】
前項（３）に記載された発明によれば、オリジナルデータファイルとコピーデータファィルとのリンク関係を維持するかどうかの選択として、システムのデフォルトの設定を選択可能である。
【００１４】
前項（４）に記載された発明によれば、オリジナルデータファイルとコピーデータファイルとのリンク関係を維持することが選択されているかどうかに応じて、前記表示手段にファイルが区別して表示されるから、ユーザはそのファイルについて、オリジナルデータファイルとコピーデータファイルとのリンク関係を維持することが選択されているかどうかを、容易に判断することができる。
【００１５】
前項（５）に記載された発明によれば、ファイル属性情報であるファイル名、ファイルサイズ、ファイル更新日付に基づいて、オリジナルデータファイルが更新されているかどうかを容易に判断することができる。
【００１６】
前項（６）に記載された発明によれば、ファイル管理システムが起動されるたびに、オリジナルデータファイルが更新されているかどうかが判断される。
【００１７】
前項（７）に記載された発明によれば、一定時間毎に、オリジナルデータファイルが更新されているかどうかが判断される。
【００１８】
前項（８）に記載された発明によれば、ユーザが管理データにアクセスしたときに、オリジナルデータファイルが更新されているかどうかが判断される。
【００１９】
前項（９）に記載された発明によれば、ファイル管理システムの終了時に、オリジナルデータファイルが更新されているかどうかが判断される。
【００２０】
前項（１０）に記載された発明によれば、オリジナルデータファイルとコピーデータファイルの内容を同期させる処理か、オリジナルデータファイルとコピーデータファイルの内容を同期させることなくそのまま保持する処理か、現在のオリジナルデータファイルを新たに登録し、オリジナルデータファイルとコピーデータファイルの元のリンク関係を削除する処理か、オリジナルデータファイルとコピーデータファイルのリンク関係を削除する処理、のいずれかの処理を、オリジナルデータファィル及び／またはコピーデータファイルに対して実行することができる。
【００２１】
前項（１１）に記載された発明によれば、前項１０に記載の処理をその都度ユーザが選択することができる。
【００２２】
前項（１２）に記載された発明によれば、ユーザがオリジナルデータファイルとコピーデータファイルとのリンク関係を維持することを選択した場合には、例えばオリジナルデータファイルの内容更新をコピーデータファイルに反映させる等の処理が可能となるし、逆にオリジナルデータファイルの内容更新をコピーデータファイルに反映させたくない場合には、オリジナルデータファイルとコピーデータファイルとのリンク関係を維持することの選択をしないようにすれば良く、従って処理内容の選択自由度が広がり、使い勝手の良いものとなる。
【００２３】
前項（１３）に記載された発明によれば、オリジナルデータファイルの登録時に、オリジナルデータファイルとコピーデータファイルとのリンク関係を維持するかどうかを選択し、オリジナルデータファイルとコピーデータファイルとのリンク関係を維持することが選択されている場合には、オリジナルデータファイルが更新されているかどうかを判断し、判断結果に基づいて、前記オリジナルデータファィル及び／またはコピーデータファイルに対して、設定された処理を実行することを内容とする処理を、コンピュータに実行させることができる。
【発明を実施するための最良の形態】
【００２４】
以下、この発明の一実施形態を説明する。
【００２５】
図１は、この発明の一実施形態に係るファイル管理システムの概略構成図である。
【００２６】
このファイル管理システムは、システムの中核をなすファイル管理装置１を備え、ファイル管理装置１には、ネットワークを介してあるいは直接に、デジタルカメラ１１、スキャナ１２、多機能デジタル画像形成装置であるＭＦＰ（Multi Function Peripherals）１３、プリンタ１４、ＦＴＰサーバやメールサーバ等のサーバ１５が接続されるものとなされている。前記デジタルカメラ１１、スキャナ１２、ＭＦＰ１３は、ファイル入力装置として機能する。そして、デジタルカメラ１１による撮影データや、スキャナ１２、ＭＦＰ１３で読み取られたデータあるいはユーザ端末（図示せず）で作成された文書等のデータが、ファイル管理装置１に送信されるものとなされている。また、ファイル管理装置１内の文書データや画像データが、プリンタ３１でプリントされ、あるいはサーバ３２へのＦＴＰ送信やＥメール送信が可能となされている。
【００２７】
図２は、前記ファイル管理装置１の構成を示すブロック図である。
【００２８】
このファイル管理装置１は、パーソナルコンピュータからなり、ＣＰＵ２０１のバスライン２１１に、ＲＯＭ２０２、ＲＡＭ２０３、表示装置２０４、キーボード２０５、マウス２０６、通信インターフェース２０７、記憶部２０８、ＣＤ−ＲＯＭドライブ２０９、拡張スロット２１０がそれぞれ接続されている。
【００２９】
前記ＣＰＵ２０１は、ファイル管理装置１の全体を統括的に制御するものである。
【００３０】
前記ＲＯＭ２０２は、前記ＣＰＵ２０１の動作用プログラムやその他のデータを記憶する。また、前記ＲＡＭ２０３は、ＣＰＵ２０１が動作プログラムに従って動作する際の作業領域を提供するものである。
【００３１】
前記表示装置２０４は、ファイルの内容等を表示するものであり、この実施形態ではＣＲＴが用いられている。
【００３２】
前記キーボード２０５及びマウス２０６は、ユーザによる入力操作に用いられる。
【００３３】
前記通信インターフェース２０７は、デジタルカメラ１１、スキャナ１２、ＭＦＰ１３、ユーザ端末（図示せず）、プリンタ３１、サーバ３２等との間でデータの送受信を行うための通信手段として機能する。
【００３４】
前記記憶部２０８は、キーボード２０５やマウス２０６の操作により作成され、あるいはデジタルカメラ１１、スキャナ１２、ＭＦＰ１３等のファイル入力装置から送信されてきた文書データや画像データ等のデータファイル、アプリケーションソフト、その他のデータを記憶するものであり、この実施形態ではハードディスク（ＨＤＤ）が用いられている。
【００３５】
前記ＣＤ−ＲＯＭドライブ２０９は、ＣＤ−ＲＯＭを駆動するものであり、拡張スロット２１０はファイル管理装置１の機能拡張のために用いられる。
【００３６】
図３は、図１に示したファイル管理システムによるファイル管理の概要を説明するための図である。
【００３７】
デジタルカメラ１１、スキャナ１２、ＭＦＰ１３、ユーザの端末装置等から送信され、あるいはファイル管理装置１のアプリケーションソフトを用いて作成され、ファイル管理装置１のウィンドウズ（Windows）等のファイルシステムに取り込まれたデータファイル（以下、データファイルを単にファイルという）Ａを、ファイル管理システム上で記憶部２０８の所定領域に登録する。登録後も、ファイルＡはウィンドウズなどのファイルシステム上で記憶部２０８に記憶されたまま、オリジナルファイルとして保持される。
【００３８】
ファイル管理システム上では、ファイルＡのコピーファイルを作成すると同時に、ファイルシステム上のファイルＡの格納場所の情報及びファイル情報（ファイル名、ファイルサイズ、ファイル更新日付）を記憶する。さらに、ファイルＡを所定のフォーマット（例えばＰＤＦファィル）に変換した後、前記ファイルＡのコピーファイルをシステム内に保持する。そして、フォーマット変換後のファイルとコピーファイルとをリンク付けて管理する。なお、コピーファイルを編集して再度フォーマット変換可能である。
【００３９】
図４に示すように、ファイルシステム上で保持されているオリジナルファイルＡの内容が編集等により更新されると、ファイルシステム上におけるオリジナルファイルＡのファイル情報１もまた更新される。一方、前述したように、ファイル管理システム上では、ファイルＡの登録時にファイルＡについてのファイル情報２が保持されている。また、ファイル管理システム上のコピーファイルが編集等により更新されたときは、コピーファイルの更新日付が更新される（ファイル情報３）。
【００４０】
ファイル管理システムは、後述する所定のタイミングで、オリジナルファイルＡが更新されたかどうかを判断している。オリジナルファイルＡが更新されたかどうかは、この実施形態では、図４に示したファイル情報１〜３を比較することにより行われる。なお、ファイル情報は、ファイル名、ファイルサイズ、ファイル更新日付に限定されることはなく、ファイルＡが更新されているかどうかが分かる情報であればよい。ファイルＡが更新されているときは、所定の処理が実行される。この点についても後述する。
【００４１】
図５は、ファイル管理装置１のＣＰＵ２０１がＲＯＭ２０２に記憶された動作プログラムに従って動作することにより実行されるファイル管理処理のフローチャートである。
【００４２】
ステップＳ１では、初期化を行い、ステップＳ２では、表示装置２０４に表示された処理メニューのうち、ユーザによっていずれかメニューが選択されるのを待ち、選択されると（ステップＳ２でＹＥＳ）、選択されたメニューに応じて、ファイル登録処理（ステップＳ３）、ファイル操作処理（ステップＳ４）、印刷処理（ステップＳ５）、検索処理（ステップＳ６）、システム終了処理（ステップＳ８）を実行する。
【００４３】
ファイル登録処理（ステップＳ３）、ファイル操作処理（ステップＳ４）、印刷処理（ステップＳ５）、検索処理（ステップＳ６）の場合は、処理の実行後、ステップＳ７でその他の処理を行った後、ステップＳ１に戻る。システム終了処理（ステップＳ８）の場合は、終了処理後、終了する。
【００４４】
図６は、図５のファイル登録処理（ステップＳ３）のサブルーチンを示すフローチャートである。
【００４５】
ステップＳ３１では、ユーザの選択操作に基づいて、登録するオリジナルファイルを選択したのち、ステップＳ３２で、選択したオリジナルファイルを統一フォーマット（例えばＰＤＦ）に変換すると共に、オリジナルファイルをファイル管理システム内にコピーしコピーファイルとして保持する。
【００４６】
次にステップＳ３３で、そのオリジナルファイルとコピーファイルとのリンクを維持する（保持する）かどうか及びその他の設定を、ユーザの設定操作に基づいて設定する。即ち、表示装置２０４の画面には、図７（Ａ）に示すように「保持する」「保持しない」「デフォルト設定」の各選択ボタンが表示され、ユーザがいずれかを選択すると、確認画面（図示せず）に遷移し、「ＯＫ」ボタンを選択すると選択が確定される。また、「保持する」ボタンが選択された場合には、図７（Ｂ）のオリジナルファイルとコピーファイルの比較のタイミングを問い合わせる画面が表示され、いずれかを選択すると、確認画面（図示せず）に遷移し、「ＯＫ」ボタンを選択すると選択が確定される。この実施形態では、「ファイル選択時」「システム起動時」「一定時間毎」「システム終了時」の中から選択可能となっている。なお、図（Ａ）の画面で「デフォルト設定」ボタンが選択された場合には、管理システムで予め設定されている内容が設定される。
【００４７】
さらに、この実施形態では、図示は省略したが、オリジナルファイルとコピーファイルの比較後に行われる既定の処理を自動的に実行するか、ユーザの選択によって実行するかを設定でき、また既定の処理の内容をユーザが設定できるようになっている。さらに、オリジナルファイルとコピーファイルとのリンクが設定されている場合とそうでない場合とで、フォーマットを変換された登録ファイル及び／又はコピーファイル（以下、管理ファイルという）の表示形態を変更することを設定でき、さらにはオリジナルファイルとコピーファイルが異なっている場合に、管理ファイルの表示形態を変更することを設定できるものとなされている。
【００４８】
このように、オリジナルファイルとコピーファイルとのリンク関係を維持するかどうかの選択設定、及び上述した各種の設定が、オリジナルファイルの登録毎に可能であるから、ユーザはファイルに応じて設定を行うことができ、便利である。
【００４９】
ステップＳ３４では、リンクを保持するかどうかを判断し、保持するのであれば（ステップＳ３４でＹＥＳ）、ステップＳ３５で、オリジナルファイルの格納場所の情報及びファイル情報を取得して、管理システム内に記録し、コピーファイルとリンクして管理する。一方、オリジナルファイルとコピーファイルとのリンクを保持しないのであれば（ステップＳ３４でＮＯ）、何もすることなく、リターンする。従って、この場合は、オリジナルファイルが更新されても、その更新がコピーファイルに反映されることはない。
【００５０】
図８は、図５のファイル操作処理（ステップＳ４）のサブルーチンを示すフローチャートである。
【００５１】
ステップＳ４１では、ユーザの選択操作に基づいて管理ファイルを選択し、図６のステップＳ３３においてなされた設定が、管理ファイルの選択時に、オリジナルファイルとコピーファイルの差異を比較する設定であるかどうかを判断する。
【００５２】
管理ファイルの選択時に差異を比較する設定でなければ（ステップＳ４２でＮＯ）、そのままリターンする。管理ファイルの選択時に差異を比較する設定であれば（ステップＳ４２でＹＥＳ）、ステップＳ４３で、オリジナルファイルとコピーファイルの差異を、図３で示したファイル情報により確認し、既定の処理を実行する。この既定の処理については後述する。次いで、ステップＳ４４で、ファイル編集等、ユーザがさらに指定した処理を、選択した管理ファイルに対して実行した後、リターンする。
【００５３】
図９は、図５の初期化処理（ステップＳ１）のサブルーチンを示すフローチャートである。
【００５４】
ステップＳ１１では、図６のステップＳ３３においてなされた設定が、システムの起動時に、オリジナルファイルとコピーファイルの差異を比較する設定であるかどうかを判断する。
【００５５】
システムの起動時に差異を比較する設定でなければ（ステップＳ１１でＮＯ）、ステップＳ１３に進む。システムの起動時に差異を比較する設定であれば（ステップＳ１１でＹＥＳ）、ステップＳ１２で、オリジナルファイルとコピーファイルの差異を確認し、既定の処理を実行したのち、ステップＳ１３に進む。ステップＳ１３では、スシステムの初期化処理を実行した後、リターンする。
【００５６】
図１０は、図５のその他の処理（ステップＳ７）のサブルーチンを示すフローチャートである。
【００５７】
ステップＳ７１では、図６のステップＳ３３においてなされた設定が、一定時間毎に、オリジナルファイルとコピーファイルの差異を比較する設定であるかどうかを判断する。
【００５８】
一定時間毎に差異を比較する設定でなければ（ステップＳ７１でＮＯ）、ステップＳ７３に進む。一定時間毎に差異を比較する設定であれば（ステップＳ７１でＹＥＳ）、ステップＳ７２で、一定時間が到来したときにオリジナルファイルとコピーファイルの差異を確認し、既定の処理を実行したのち、ステップＳ７３に進む。なお、一定時間が到来していなければ、ステップＳ７２の処理を実行することなくステップＳ７３に進む。
【００５９】
ステップＳ７３では、図６のステップＳ３３において、管理ファイルの表示形態を変更する設定がなされているかどうかを調べ、管理ファイルの表示形態を変更する設定であれば（ステップＳ７３でＹＥＳ）、ステップＳ７４で、管理ファイルの表示形態を変更して表示装置２０４に表示したのち、ステップＳ７５で、その他の処理を行ってリターンする。管理ファイルの表示形態を変更する設定でなければ（ステップＳ７３でＮＯ）、そのままリターンする。
【００６０】
図１１は、図５のシステム終了処理（ステップＳ８）のサブルーチンを示すフローチャートである。
【００６１】
ステップＳ８１では、図６のステップＳ３３においてなされた設定が、システム終了時に、オリジナルファイルとコピーファイルの差異を比較する設定であるかどうかを判断する。
【００６２】
システム終了時に差異を比較する設定でなければ（ステップＳ８１でＮＯ）、ステップＳ８３に進む。システム終了時に差異を比較する設定であれば（ステップＳ８１でＹＥＳ）、ステップＳ８２で、オリジナルファイルとコピーファイルの差異を確認し、既定の処理を実行したのち、ステップＳ８３に進む。
【００６３】
ステップＳ８３ではシステムの終了処理を行ってリターンする。
【００６４】
図１２は、図８のステップ４３、図９のステップＳ１２、図１０のステップＳ７２及び図１１のステップＳ８２の既定処理を実行するための実行処理のサブルーチン示すフローチャートである。
【００６５】
ステップＳ４３１では、図６のステップＳ３３において、既定処理を自動的に実行する設定がなされているかどうかを調べ、自動的に実行する設定であれば（ステップＳ４３１でＹＥＳ）、ステップＳ４３２に進む。
【００６６】
ステップＳ４３２では、設定された既定の処理を自動的に実行した後、リターンする。
【００６７】
既定の処理は、この実施形態では、以下のａ〜ｄのうちユーザにより予め設定され、あるいはデフォルト設定された処理である。
ａ：コピーファイルとオリジナルファイルを同期させる。これにより、コピーファイルの内容が更新後のオリジナルファイルと同じになる。
ｂ：コピーファイルとオリジナルファイルを同期させることなく、そのまま保持する。
ｃ：現在のオリジナルファイルのコピーをファイル管理システムへ登録する。この場合は、同時に、オリジナルファイルとコピーファイルの対応関係情報を削除し、新たにリンクさせる。
ｄ：オリジナルファイルとコピーファイルの対応関係情報を削除する。従ってこの場合は、オリジナルファイルとコピーファイルのリンクはなくなる。
【００６８】
一方、ステップＳ４３１で、既定処理を自動的に実行する設定がなされていない場合は（ステップＳ４３１でＮＯ）、ステップＳ４３３で、ユーザに処理を選択させるためのダイアログを表示装置２０４に表示し、選択された処理を実行したのち、リターンする。選択可能な処理は、ステップＳ４３２で述べたａ〜ｄと同じである。
【００６９】
図１３は、図１０のステップＳ７４の管理ファイルの表示形態変更処理のサブルーチンを示すフローチャートである。
【００７０】
ステップＳ７４１では、図６のステップＳ３３において設定された内容に応じて、即ち、オリジナルファイルとコピーファイルのリンクを維持するか否かで、管理ファイルを他の管理ファイルと区別して表示する設定となっているか、あるいはコピーファイルとオリジナルファイルが異なっている場合に、区別して表示する設定となっているか、に応じて、管理ファイルの表示形態を変更して表示した後、リターンする。
【００７１】
表示形態の変更の具体例としては、ファイルの表示枠を太い線で表示する、色を変更して表示する、表示の大きさを変更する等が挙げられる。
【００７２】
このように、この実施形態では、オリジナルファイルとコピーファイルとのリンク関係を維持するかどうかを選択可能であり、オリジナルファイルとコピーファイルとのリンク関係を維持することが選択されている場合には、オリジナルファイルが更新されているかどうかを判断し、判断結果に基づいて、前記オリジナルファィル及び／またはコピーファイルに対して、既定の処理が実行される。つまり、ユーザがオリジナルファイルとコピーファイルとのリンク関係を維持することを選択した場合には、例えばオリジナルファイルの内容更新をコピーファイルに反映させる等の処理が可能となるし、逆にオリジナルファイルの内容更新をコピーファイルに反映させたくない場合には、オリジナルファイルとコピーファイルとのリンク関係を維持することの選択をしないようにすれば良く、従って処理内容の選択自由度が広がり、使い勝手の良いものとなる。
【００７３】
しかも、オリジナルファイルとコピーファイルのリンクを維持するか否かで、あるいはコピーファイルとオリジナルファイルが異なっているか否かで、表示装置２０４にファイルが区別して表示されるから、ユーザはそのファイルデータについて、オリジナルデータファイルとコピーデータファイルとのリンク関係が維持されているのか、あるいはコピーファイルとオリジナルファイルが異なっているのかを、容易に判断することができる。
【図面の簡単な説明】
【００７４】
【図１】この発明の一実施形態に係るファイル管理システムの概略構成図である。
【図２】ファイル管理装置の構成を示すブロック図である。
【図３】ファイル管理システムによるファイル管理の概要を説明するための図である。
【図４】同じく、ファイル管理システムによるファイル管理の概要を説明するための図である。
【図５】ファイル管理装置のＣＰＵが動作プログラムに従って動作することにより実行されるファイル管理処理のフローチャートである。
【図６】図５のファイル登録処理（ステップＳ３）のサブルーチンを示すフローチャートである。
【図７】（Ａ）はオリジナルファイルとコピーファイルのリンクを保持するかどうかの設定画面であり、（Ｂ）はオリジナルファイルとコピーファイルの差異を確認するタイミングを設定するための設定画面である。
【図８】図５のファイル操作処理（ステップＳ４）のサブルーチンを示すフローチャートである。
【図９】図５の初期化処理（ステップＳ１）のサブルーチンを示すフローチャートである。
【図１０】図５のその他の処理（ステップＳ７）のサブルーチンを示すフローチャートである。
【図１１】図５のシステム終了処理（ステップＳ８）のサブルーチンを示すフローチャートである。
【図１２】図８のステップ４３、図９のステップＳ１２、図１０のステップＳ７２及び図１１のステップＳ８２の既定処理を実行するための実行処理のサブルーチン示すフローチャートである。
【図１３】図１０のステップＳ７４の管理ファイルの表示形態変更処理のサブルーチンを示すフローチャートである。
【符号の説明】
【００７５】
２          ファイル管理装置
２０１      ＣＰＵ
２０４      表示装置
２０８      記憶部
【図１】
2007323237.tif 000003
【図２】
2007323237.tif 000004
【図３】
2007323237.tif 000005
【図４】
2007323237.tif 000006
【図５】
2007323237.tif 000007
【図６】
2007323237.tif 000008
【図７】
2007323237.tif 000009
【図８】
2007323237.tif 000010
【図９】
2007323237.tif 000011
【図１０】
2007323237.tif 000012
【図１１】
2007323237.tif 000013
【図１２】
2007323237.tif 000014
【図１３】
2007323237.tif 000015